(57)【要約】【課題】この発明は、入力変調信号の中心周波数にずれが生じた場合にも、妨害波レベルを正確に検出でき、妨害波の影響を効果的に低減させることができる放送受信装置を提供することを目的とする。【解決手段】妨害波レベル検出手段は、入力変調信号を入力としかつ妨害波を通過させるための１または複数の第２のバンドパスフィルタの出力に基づいて隣接妨害波レベルを検出するものであり、第２のバンドパスフィルタの通過帯域の中心周波数が、中心周波数検出手段によって検出された入力変調信号の中心周波数に応じて制御される。【選択図】  図１
2004222192.tif 000002
【特許請求の範囲】
【請求項１】
入力変調信号を帯域制限することによって希望波の変調信号を通過させかつ通過帯域幅が可変の第１のバンドパスフィルタ、
上記第１のバンドパスフィルタの出力に基づいて入力変調信号の中心周波数を検出する中心周波数検出手段、
入力変調信号に基づいて隣接妨害波レベルを検出するための妨害波レベル検出手段、および
妨害波レベル検出手段によって検出された妨害波レベルに基づいて、第１のバンドパスフィルタの通過帯域幅を制御する手段を備えており、
上記妨害波レベル検出手段は、入力変調信号を入力としかつ妨害波を通過させるための１または複数の第２のバンドパスフィルタの出力に基づいて隣接妨害波レベルを検出するものであり、
第２のバンドパスフィルタの通過帯域の中心周波数が、中心周波数検出手段によって検出された入力変調信号の中心周波数に応じて制御されることを特徴とする放送受信装置。
【請求項２】
入力変調信号を帯域制限することによって希望波の変調信号を通過させかつ通過帯域幅が可変の第１のバンドパスフィルタ、
上記第１のバンドパスフィルタの出力に基づいて入力変調信号の中心周波数を検出する中心周波数検出手段、
入力変調信号に基づいて隣接妨害波レベルを検出するための妨害波レベル検出手段、および
妨害波レベル検出手段によって検出された妨害波レベルに基づいて、第１のバンドパスフィルタの通過帯域幅を制御する手段を備えており、
上記妨害波レベル検出手段は、希望波の周波数より高い周波数を通過帯域の中心周波数とする第２のバンドパスフィルタと、希望波の周波数より低い周波数を通過帯域の中心周波数とする第３のバンドパスフィルタと、第２および第３のバンドパスフィルタを通過した信号の差分の絶対値を算出する演算手段とを備えており、
第２および第３のバンドパスフィルタの通過帯域の中心周波数が、中心周波数検出手段によって検出された入力変調信号の中心周波数に応じて制御されることを特徴とする放送受信装置。
【請求項３】
入力変調信号を帯域制限することによって希望波の変調信号を通過させかつ通過帯域幅および通過帯域の中心周波数が可変の第１のバンドパスフィルタ、
上記第１のバンドパスフィルタの出力に基づいて入力変調信号の中心周波数を検出する中心周波数検出手段、
入力変調信号に基づいて隣接妨害波レベルを検出するための妨害波レベル検出手段、および
妨害波レベル検出手段によって検出された妨害波レベルに基づいて第１のバンドパスフィルタの通過帯域幅および通過帯域の中心周波数を制御する制御手段を備えており、
上記制御手段は、妨害波レベル決定手段によって決定された妨害波レベルに基づいて第１のバンドパスフィルタの通過帯域幅を制御する手段、および妨害波レベル決定手段によって決定された妨害波レベルが所定値より小さい場合にのみ、第１のバンドパスフィルタの通過帯域の中心周波数を、中心周波数検出手段によって検出された入力変調信号の中心周波数と一致するように制御する手段を備えていることを特徴とする放送受信装置。
【請求項４】
入力変調信号を帯域制限することによって希望波の変調信号を通過させかつ通過帯域幅および通過帯域の中心周波数が可変の第１のバンドパスフィルタ、
上記第１のバンドパスフィルタの出力に基づいて入力変調信号の中心周波数を検出する中心周波数検出手段、
入力変調信号に基づいて隣接妨害波レベルを検出するための妨害波レベル検出手段、および
妨害波レベル検出手段によって検出された妨害波レベルに基づいて第１のバンドパスフィルタの通過帯域幅および通過帯域の中心周波数を制御する制御手段を備えており、
上記妨害波レベル検出手段は、第１の妨害波レベル検出手段、第２の妨害波レベル検出手段、ならびに第１の妨害波レベル検出手段および第２の妨害波レベル検出手段の検出レベルに基づいて、妨害波レベルを決定する妨害波レベル決定手段を備えており、
第１の妨害波レベル検出手段は、希望波の周波数より高い周波数を通過帯域の中心周波数としかつ通過帯域の中心周波数が中心周波数検出手段によって検出された入力変調信号の中心周波数に応じて制御される第２のバンドパスフィルタ、希望波の周波数より低い周波数を通過帯域の中心周波数としかつ通過帯域の中心周波数が中心周波数検出手段によって検出された入力変調信号の中心周波数に応じて制御される第３のバンドパスフィルタ、第２および第３のバンドパスフィルタを通過した信号の差分の絶対値を算出する演算手段を備えており、
第２の妨害波レベル検出手段は、希望波の周波数より高い周波数を通過帯域の中心周波数とする第４のバンドパスフィルタと、希望波の周波数より低い周波数を通過帯域の中心周波数とする第５のバンドパスフィルタと、第４および第５のバンドパスフィルタを通過した信号の加算値を算出する演算手段とを備えており、
上記制御手段は、妨害波レベル決定手段によって決定された妨害波レベルに基づいて第１のバンドパスフィルタの通過帯域幅を制御する手段、および妨害波レベル決定手段によって決定された妨害波レベルが所定値より小さい場合にのみ、第１のバンドパスフィルタの通過帯域の中心周波数を、中心周波数検出手段によって検出された入力変調信号の中心周波数と一致するように制御する手段を備えていることを特徴とする放送受信装置。
【請求項５】
入力変調信号を帯域制限することによって希望波の変調信号を通過させかつ通過帯域幅および通過帯域の中心周波数が可変の第１のバンドパスフィルタ、
上記第１のバンドパスフィルタの出力に基づいて入力変調信号の中心周波数を検出する中心周波数検出手段、
入力変調信号に基づいて隣接妨害波レベルを検出するための妨害波レベル検出手段、および
妨害波レベル検出手段によって検出された妨害波レベルに基づいて第１のバンドパスフィルタの通過帯域幅および通過帯域の中心周波数を制御する制御手段を備えており、
上記妨害波レベル検出手段は、第１の妨害波レベル検出手段、第２の妨害波レベル検出手段、ならびに第１の妨害波レベル検出手段および第２の妨害波レベル検出手段の検出レベルに基づいて、妨害波レベルを決定する妨害波レベル決定手段を備えており、
第１の妨害波レベル検出手段は、希望波の周波数より高い周波数を通過帯域の中心周波数としかつ通過帯域の中心周波数が中心周波数検出手段によって検出された入力変調信号の中心周波数に応じて制御される第２のバンドパスフィルタ、希望波の周波数より低い周波数を通過帯域の中心周波数としかつ通過帯域の中心周波数が中心周波数検出手段によって検出された入力変調信号の中心周波数に応じて制御される第３のバンドパスフィルタ、第２および第３のバンドパスフィルタを通過した信号の差分の絶対値を算出する演算手段を備えており、
第２の妨害波レベル検出手段は、希望波の周波数より高い周波数を通過帯域の中心周波数とする第４のバンドパスフィルタと、希望波の周波数より低い周波数を通過帯域の中心周波数とする第５のバンドパスフィルタと、第４および第５のバンドパスフィルタを通過した信号の加算値を算出する演算手段とを備えており、
上記制御手段は、妨害波レベル決定手段によって決定された妨害波レベルに基づいて第１のバンドパスフィルタの通過帯域幅を制御する手段、および第２の妨害波レベル検出手段によって検出された妨害波レベルが所定値より小さい場合にのみ、第１のバンドパスフィルタの通過帯域の中心周波数を、中心周波数検出手段によって検出された入力変調信号の中心周波数と一致するように制御する手段を備えていることを特徴とする放送受信装置。
【請求項６】
上記第１のバンドパスフィルタの出力を検波し、かつＶＣＯを有するＰＬＬ方式の検波回路を備えており、上記中心周波数検出手段は、検波回路のＶＣＯ出力に基づいて、入力変調信号の中心周波数を検出するものであることを特徴とする請求項１、２、３、４および５のいずれかに記載の放送受信装置。
【発明の詳細な説明】
【０００１】
【発明の属する技術分野】
本発明はＦＭ放送等の放送受信装置に関する。
【０００２】
【従来の技術】
ＦＭラジオ受信機等においては、妨害信号が希望局からの放送信号に隣接して発生した場合、いわゆる「隣接妨害」と呼ばれる通信信号の劣化が生じる。
【０００３】
したがって、このような隣接妨害が発生した場合、これを検知して、受信機側で、たとえば受信信号を周波数変換した中間周波数信号（ＩＦ信号）を通過させるＩＦフィルタの通過帯域を変更することにより、このような隣接妨害の影響を低減するといった対策がとられている。
【０００４】
特開平０８−９７７３８号公報には、希望波の周波数を中心として広帯域に含まれるエネルギーと狭帯域に含まれるエネルギーとを比較し、その比較結果に基づいて、隣接妨害の存在を検知する技術が開示されている。
【０００５】
また、特開平０５−１９１３１２号公報には、中間周波数フィルタにより、希望波の上側及び下側の周波数に存在する妨害波を検出し、この検出出力に応じて希望波抽出用のＩＦフィルタの帯域を妨害信号のエネルギーの小さい方へと移動させる技術が開示されている。
【０００６】
上記特開平０８−９７７３８号公報に開示された技術では、妨害波と希望波との強度比（以下、ＵＤ比と呼ぶ）が比較的高い範囲では、検出出力が正確にＵＤ比の大小に対応するが、ＵＤ比が比較的低い範囲ではその大小を正確には検知できないという問題点があった。
【０００７】
上記特開平０５−１９１３１２号公報に開示された技術では、比較的低い妨害波レベルでも検出可能にすると、希望波信号が高変調時には、妨害波が無くとも希望信号の上側及び下側に含まれる信号のパワーが増え、ある程度の妨害が存在するものと誤判定してしまうようになるという問題点があった。
【０００８】
そこで、本出願人は、希望波の周波数を中心とした２つの隣接帯域に含まれる信号のパワーの差分値を算出する第１の検出部と、希望波の周波数を中心とした２つの隣接帯域に含まれる信号のパワーの加算値を算出する第２の検出部と、希望波の周波数を中心として広帯域と狭帯域に含まれる信号のパワーの差分値を算出する第３の検出部を備え、妨害レベルが高いときには第３の検出部、中程度では第２の検出部、低いときには第３の検出部の出力を用いることで、より広いＵＤ比の範囲で正確にＵＤ比の検出を可能とした隣接妨害検出装置を開発した（特願２００２−０８４２６７参照）。
【０００９】
【特許文献１】特開平０８−９７７３８号公報
【特許文献２】特開平０５−１９１３１２号公報
【特許文献３】特願２００２−０８４２６７
【００１０】
【発明が解決しようとする課題】
本出願人が開発した上記隣接妨害検出装置では、入力ＩＦ信号の中心周波数にずれが生じた場合に、妨害波レベルの検出に誤差が生じたり、ＩＦフィルタの中心周波数と入力信号の中心周波数に差が生じることによる信号の劣化が起こり得るという問題点があった。
【００１１】
この発明は、入力変調信号の中心周波数にずれが生じた場合にも、妨害波レベルを正確に検出でき、妨害波の影響を効果的に低減させることができる放送受信装置を提供することを目的とする。
【００１２】
【課題を解決するための手段】
請求項１に記載の発明は、入力変調信号を帯域制限することによって希望波の変調信号を通過させかつ通過帯域幅が可変の第１のバンドパスフィルタ、上記第１のバンドパスフィルタの出力に基づいて入力変調信号の中心周波数を検出する中心周波数検出手段、入力変調信号に基づいて隣接妨害波レベルを検出するための妨害波レベル検出手段、および妨害波レベル検出手段によって検出された妨害波レベルに基づいて、第１のバンドパスフィルタの通過帯域幅を制御する手段を備えており、上記妨害波レベル検出手段は、入力変調信号を入力としかつ妨害波を通過させるための１または複数の第２のバンドパスフィルタの出力に基づいて隣接妨害波レベルを検出するものであり、第２のバンドパスフィルタの通過帯域の中心周波数が、中心周波数検出手段によって検出された入力変調信号の中心周波数に応じて制御されることを特徴とする。
【００１３】
請求項２に記載の発明は、入力変調信号を帯域制限することによって希望波の変調信号を通過させかつ通過帯域幅が可変の第１のバンドパスフィルタ、上記第１のバンドパスフィルタの出力に基づいて入力変調信号の中心周波数を検出する中心周波数検出手段、入力変調信号に基づいて隣接妨害波レベルを検出するための妨害波レベル検出手段、および妨害波レベル検出手段によって検出された妨害波レベルに基づいて、第１のバンドパスフィルタの通過帯域幅を制御する手段を備えており、上記妨害波レベル検出手段は、希望波の周波数より高い周波数を通過帯域の中心周波数とする第２のバンドパスフィルタと、希望波の周波数より低い周波数を通過帯域の中心周波数とする第３のバンドパスフィルタと、第２および第３のバンドパスフィルタを通過した信号の差分の絶対値を算出する演算手段とを備えており、第２および第３のバンドパスフィルタの通過帯域の中心周波数が、中心周波数検出手段によって検出された入力変調信号の中心周波数に応じて制御されることを特徴とする。
【００１４】
請求項３に記載の発明は、入力変調信号を帯域制限することによって希望波の変調信号を通過させかつ通過帯域幅および通過帯域の中心周波数が可変の第１のバンドパスフィルタ、上記第１のバンドパスフィルタの出力に基づいて入力変調信号の中心周波数を検出する中心周波数検出手段、入力変調信号に基づいて隣接妨害波レベルを検出するための妨害波レベル検出手段、および妨害波レベル検出手段によって検出された妨害波レベルに基づいて第１のバンドパスフィルタの通過帯域幅および通過帯域の中心周波数を制御する制御手段を備えており、上記制御手段は、妨害波レベル決定手段によって決定された妨害波レベルに基づいて第１のバンドパスフィルタの通過帯域幅を制御する手段、および妨害波レベル決定手段によって決定された妨害波レベルが所定値より小さい場合にのみ、第１のバンドパスフィルタの通過帯域の中心周波数を、中心周波数検出手段によって検出された入力変調信号の中心周波数と一致するように制御する手段を備えていることを特徴とする。
【００１５】
請求項４に記載の発明は、入力変調信号を帯域制限することによって希望波の変調信号を通過させかつ通過帯域幅および通過帯域の中心周波数が可変の第１のバンドパスフィルタ、上記第１のバンドパスフィルタの出力に基づいて入力変調信号の中心周波数を検出する中心周波数検出手段、入力変調信号に基づいて隣接妨害波レベルを検出するための妨害波レベル検出手段、および妨害波レベル検出手段によって検出された妨害波レベルに基づいて第１のバンドパスフィルタの通過帯域幅および通過帯域の中心周波数を制御する制御手段を備えており、上記妨害波レベル検出手段は、第１の妨害波レベル検出手段、第２の妨害波レベル検出手段、ならびに第１の妨害波レベル検出手段および第２の妨害波レベル検出手段の検出レベルに基づいて、妨害波レベルを決定する妨害波レベル決定手段を備えており、第１の妨害波レベル検出手段は、希望波の周波数より高い周波数を通過帯域の中心周波数としかつ通過帯域の中心周波数が中心周波数検出手段によって検出された入力変調信号の中心周波数に応じて制御される第２のバンドパスフィルタ、希望波の周波数より低い周波数を通過帯域の中心周波数としかつ通過帯域の中心周波数が中心周波数検出手段によって検出された入力変調信号の中心周波数に応じて制御される第３のバンドパスフィルタ、第２および第３のバンドパスフィルタを通過した信号の差分の絶対値を算出する演算手段を備えており、第２の妨害波レベル検出手段は、希望波の周波数より高い周波数を通過帯域の中心周波数とする第４のバンドパスフィルタと、希望波の周波数より低い周波数を通過帯域の中心周波数とする第５のバンドパスフィルタと、第４および第５のバンドパスフィルタを通過した信号の加算値を算出する演算手段とを備えており、上記制御手段は、妨害波レベル決定手段によって決定された妨害波レベルに基づいて第１のバンドパスフィルタの通過帯域幅を制御する手段、および妨害波レベル決定手段によって決定された妨害波レベルが所定値より小さい場合にのみ、第１のバンドパスフィルタの通過帯域の中心周波数を、中心周波数検出手段によって検出された入力変調信号の中心周波数と一致するように制御する手段を備えていることを特徴とする。
【００１６】
請求項５に記載の発明は、入力変調信号を帯域制限することによって希望波の変調信号を通過させかつ通過帯域幅および通過帯域の中心周波数が可変の第１のバンドパスフィルタ、上記第１のバンドパスフィルタの出力に基づいて入力変調信号の中心周波数を検出する中心周波数検出手段、入力変調信号に基づいて隣接妨害波レベルを検出するための妨害波レベル検出手段、および妨害波レベル検出手段によって検出された妨害波レベルに基づいて第１のバンドパスフィルタの通過帯域幅および通過帯域の中心周波数を制御する制御手段を備えており、上記妨害波レベル検出手段は、第１の妨害波レベル検出手段、第２の妨害波レベル検出手段、ならびに第１の妨害波レベル検出手段および第２の妨害波レベル検出手段の検出レベルに基づいて、妨害波レベルを決定する妨害波レベル決定手段を備えており、第１の妨害波レベル検出手段は、希望波の周波数より高い周波数を通過帯域の中心周波数としかつ通過帯域の中心周波数が中心周波数検出手段によって検出された入力変調信号の中心周波数に応じて制御される第２のバンドパスフィルタ、希望波の周波数より低い周波数を通過帯域の中心周波数としかつ通過帯域の中心周波数が中心周波数検出手段によって検出された入力変調信号の中心周波数に応じて制御される第３のバンドパスフィルタ、第２および第３のバンドパスフィルタを通過した信号の差分の絶対値を算出する演算手段を備えており、第２の妨害波レベル検出手段は、希望波の周波数より高い周波数を通過帯域の中心周波数とする第４のバンドパスフィルタと、希望波の周波数より低い周波数を通過帯域の中心周波数とする第５のバンドパスフィルタと、第４および第５のバンドパスフィルタを通過した信号の加算値を算出する演算手段とを備えており、上記制御手段は、妨害波レベル決定手段によって決定された妨害波レベルに基づいて第１のバンドパスフィルタの通過帯域幅を制御する手段、および第２の妨害波レベル検出手段によって検出された妨害波レベルが所定値より小さい場合にのみ、第１のバンドパスフィルタの通過帯域の中心周波数を、中心周波数検出手段によって検出された入力変調信号の中心周波数と一致するように制御する手段を備えていることを特徴とする。
【００１７】
請求項６に記載の発明は、請求項１乃至５に記載の放送受信装置において、上記第１のバンドパスフィルタの出力を検波し、かつＶＣＯを有するＰＬＬ方式の検波回路を備えており、上記中心周波数検出手段は、検波回路のＶＣＯ出力に基づいて、入力変調信号の中心周波数を検出するものであることを特徴とする。
【００１８】
【発明の実施の形態】
〔１〕第１の実施の形態についての説明
【００１９】
図１は、第１の実施の形態におけるＦＭ放送受信機の構成を示している。
【００２０】
ＦＭ放送受信機は、受信アンテナ１と、受信アンテナ１からの信号を受けて、選局処理、増幅処理及び中間周波数増幅処理を行うフロントエンド部２と、フロントエンド部２の出力を受けて、希望周波数のＩＦ信号を通過させるバンドパスフィルタを備えたＩＦフィルタ部３と、ＩＦフィルタ部３の出力を受けてＦＭ検波を行うＰＬＬ方式のＦＭ検波部４と、検波された信号をステレオ復調するステレオ復調部５と、フロントエンド部の出力から、妨害波レベルを検出する妨害波レベル検出フィルタ部６と、妨害波レベル検出フィルタ部６の出力からＵＤ比を判定し、ＩＦフィルタ部３及びステレオ復調部５にＵＤ比データを与えるＵＤ比判定部７と、ＦＭ検波部４内のＶＣＯ出力から中心周波数を検出し、妨害波レベル検出フィルタ部６に中心周波数データを与える中心周波数検出部８を備えている。
【００２１】
図２は、ＦＭ検波部４の構成を示している。
【００２２】
ＦＭ検波部４としては、よく知られているＰＬＬ方式の検波回路が用いられている。ＦＭ検波部４は、位相検波器４１、ローパスフィルタ（ＬＰＦ）４２および電圧制御発振器（ＶＣＯ）４３を備えている。
【００２３】
ＶＣＯ４３で作られた局部発振信号と入力ＩＦ信号を位相検波器４１によって位相検波し、その誤差電圧をＬＰＦ４２を通して取り出してＶＣＯ４３にフィードバックしている。フィードバックしている位相誤差電圧が検波出力となる。
【００２４】
ＶＣＯ４３の出力信号の周波数は入力ＩＦ信号の中心周波数にほぼ等しくなるため、ＶＣＯ出力の周波数を用いて入力ＩＦ信号の中心周波数を検出できる。ＦＭ検波部４のＶＣＯ４３の出力信号は、中心周波数検出部８にも送られる。
【００２５】
図３はＶＣＯ４３の出力の一例を示している。
【００２６】
中心周波数検出部８は、ＶＣＯ出力において、値の切り返している個所の数をカウントすることにより、入力ＩＦ信号の中心周波数を算出する。例えば５０ｍｓｅｃ間のＶＣＯ出力の波数をカウントし、そのカウント値ｎに基づいて入力ＩＦ信号の中心周波数（＝ｎ／５０ｍｓｅｃ）  を算出する。
【００２７】
図４は、妨害波レベル検出フィルタ部６の構成を示している。
【００２８】
妨害波レベル検出フィルタ部６は、希望波の周波数（中心周波数）より所定値だけ高い周波数を通過帯域の中心周波数とする第１のバンドパスフィルタ６１と、第１のバンドパスフィルタ６１の出力を平滑化する平滑化処理部６２と、希望波の周波数（中心周波数）より所定値だけ低い周波数を通過帯域の中心周波数とする第２のバンドパスフィルタ６３と、第２のバンドパスフィルタ６３の出力を平滑化する平滑化処理部６４と、両平滑化処理部６２、６４の出力の差分を出力する減算器６５と、減算器６５の出力の絶対値を妨害波レベル検出信号Ｕ１として出力する絶対値出力部６６とを備えている。
【００２９】
妨害波レベル検出フィルタ部６によって検出された妨害波レベル（妨害波レベル検出信号）Ｕ１は、ＵＤ比判定部７に送られる。妨害波レベル検出フィルタ部６によって検出された妨害波レベルＵ１はＵＤ比に依存しているので、ＵＤ比判定部７は、妨害波レベル検出フィルタ部６によって検出された妨害波レベルＵ１に基づいてＵＤ比を判定する。
【００３０】
ところで、妨害波レベル検出フィルタ部６では、希望波の両側の隣接帯域に含まれる信号のパワーの差分を算出しているため、希望波の変調度が高い場合にも、妨害波レベルを正確に検出することが可能である。また、比較的低い妨害波レベル、例えば、ＵＤ比が−３０ｄＢ以下でも妨害波レベルを検出することが可能である。しかしながら、入力ＩＦ信号の中心周波数が規定値からずれた場合に、妨害波レベルを誤検出するおそれがある。
【００３１】
そこで、この実施の形態では、中心周波数検出部８からの中心周波数データに応じて、第１のバンドパスフィルタ６１および第２のバンドパスフィルタ６３の通過帯域の中心周波数を調整している。すなわち、入力ＩＦ信号の中心周波数が、諸誤差等により規定値からずれている場合には、それに応じて各バンドパスフィルタ６１、６３の中心周波数を調整することにより、妨害波レベルを正確に検出できるようにしている。
【００３２】
ＵＤ比判定部７に判定されたＵＤ比は、ＩＦフィルタ部３及びステレオ復調部５に与えられる。
【００３３】
ＩＦフィルタ部３は、ＵＤ比判定部７から出力されるＵＤ比データに基づいて、ＩＦフィルタの通過帯域幅を制御する。例えば、隣接妨害がある場合には、その妨害波を除去できるようにＩＦフィルタの通過帯域幅を狭める。このような処理を行う場合には隣接妨害が発生した場合にのみ隣接妨害を有効に除去することとなるとともに、隣接妨害がないときについては歪率について良好な検波出力を得ることが可能となる。
【００３４】
図５は、ステレオ復調部５の構成を示している。
【００３５】
ＦＭ検波部４によりＦＭ復調されたステレオコンポジット信号の（Ｌ−Ｒ）サブ信号および（Ｌ＋Ｒ）メイン信号がステレオ復調部５に入力される。（Ｌ−Ｒ）サブ信号は、ゲインＫが可変である増幅器５１によって増幅された後、加算器５２と減算器５３に入力される。一方、（Ｌ＋Ｒ）メイン信号は、加算器５２と減算器５３に入力される。加算器５２からはＬ’信号が、減算器５３からはＲ’信号が出力される。
【００３６】
増幅器５１のゲインＫはＵＤ比データに応じて調整され、これにより、ステレオ音声におけるステレオ分離度が変化し、妨害のレベルの高低に応じたセパレーション制御がなされる。具体的には、ＵＤ比データが大きくなる程、つまり、妨害波のレベルが高い程、Ｋが小さくされ、ステレオ分離度が低くなる。
【００３７】
加算器５２から出力されるＬ’信号は、ノイズ除去のためのローパスフィルタ５４を介してゲインαの増幅器５５ａに入力される。また、加算器５２から出力されるＬ’信号は、ゲイン（１−α）の増幅器５５ｂにも入力される。両増幅器５５ａ、５５ｂの出力は加算器５６によって加算されて、Ｌ信号として出力される。
【００３８】
減算器５３から出力されるＲ’信号は、ノイズ除去のためのローパスフィルタ５７を介してゲインαの増幅器５８ａに入力される。また、減算器５３から出力されるＲ’信号は、ゲイン（１−α）の増幅器５８ｂにも入力される。両増幅器５８ａ、５８ｂの出力は加算器５９によって加算されて、Ｒ信号として出力される。
【００３９】
ゲインαはＵＤ比データに応じて調整され、ハイカットで制御が行われる。すなわち妨害波のレベルの高いときにはゲインαを大きくし、ローパスフィルタ５４、５７を通過した信号の重み付けを大きくして高域成分をカットすることができる。
【００４０】
〔２〕第２の実施の形態についての説明
【００４１】
図６は、第２の実施の形態におけるＦＭ放送受信機の構成を示している。
【００４２】
図６のＦＭ放送受信機は、図１のＦＭ放送受信機と比べて、妨害波レベル検出フィルタ部１０６が異なっている。また、ＩＦフィルタ部３の動作およびＵＤ比判定部７の動作が、図１のＦＭ放送受信機のそれと異なっている。
【００４３】
妨害波レベル検出フィルタ部１０６は、中心周波数検出部８からの中心周波数データに応じて通過帯域の切替えを行う第１の妨害波レベル検出部１０６Ａと、通過帯域の切替えを行わない第２の妨害波レベル検出部１０６Ｂとからなる。
【００４４】
図７は、第１の妨害波レベル検出部１０６Ａおよび第２の妨害波レベル検出部１０６Ｂの詳細な構成を示している。
【００４５】
第１の妨害波レベル検出部１０６Ａは、図１の妨害波レベル検出フィルタ部６と同じであり、希望波の周波数（中心周波数）より所定値だけ高い周波数を通過帯域の中心周波数とする第１のバンドパスフィルタ６１と、第１のバンドパスフィルタ６１の出力を平滑化する平滑化処理部６２と、希望波の周波数（中心周波数）より所定値だけ低い周波数を通過帯域の中心周波数とする第２のバンドパスフィルタ６３と、第２のバンドパスフィルタ６３の出力を平滑化する平滑化処理部６４と、両平滑化処理部６２、６４の出力の差分を出力する減算器６５と、減算器６５の出力の絶対値を第１の妨害波レベル検出信号Ｕ１として出力する絶対値出力部６６とを備えている。
【００４６】
第１の妨害波レベル検出部１０６Ａによる妨害波レベル検出方式は、隣接帯域差分方式と呼ばれる。第１のバンドパスフィルタ６１および第２のバンドパスフィルタ６３の通過帯域は、中心周波数検出部８からの中心周波数データに応じて調整される。第１の妨害波レベル検出信号Ｕ１は、ＵＤ比判定部７に送られる。
【００４７】
第２の妨害波レベル検出部１０６Ｂは、希望波の周波数より所定値だけ高い周波数を通過帯域の中心周波数とする第３のバンドパスフィルタ７１と、第３のバンドパスフィルタ７１の出力を平滑化する平滑化処理部７２と、希望波の周波数より所定値だけ低い周波数を通過帯域の中心周波数とする第４のバンドパスフィルタ７３と、第４のバンドパスフィルタ７３の出力を平滑化する平滑化処理部７４と、両平滑化処理部７２、７４の出力の和を第２の妨害波レベル検出信号Ｕ２として出力する加算器７５とを備えている。
【００４８】
第２の妨害波レベル検出部１０６Ｂによる妨害波レベル検出方式は、隣接帯域加算方式と呼ばれる。第２の妨害波レベル検出信号Ｕ２は、ＵＤ比判定部７に送られる。
【００４９】
第１の妨害波レベル検出部１０６Ａでは、希望波の両側の隣接帯域に含まれる信号のパワーの差分を算出しているため、希望波の変調度が高い場合にも、妨害波レベルを正確に検出することが可能である。また、比較的低い妨害波レベル、例えば、ＵＤ比が−３０ｄＢ以下でも妨害波レベルを正確に検出することが可能である。しかしながら、入力ＩＦ信号の中心周波数が規定値からずれた場合に、妨害波レベルを誤検出するおそれがある。
【００５０】
そこで、中心周波数検出部８からの中心周波数データに応じて、第１のバンドパスフィルタ６１および第２のバンドパスフィルタ６３の通過帯域の中心周波数を調整している。すなわち、入力ＩＦ信号の中心周波数が、諸誤差等により規定値からずれている場合には、それに応じて各バンドパスフィルタ６１、６３の中心周波数を調整することにより、妨害波レベルを正確に検出できるようにしている。ただし、妨害波レベルが非常に高い場合、例えば、ＵＤ比が０ｄＢを越えている場合には、入力ＩＦ信号の中心周波数を正確に検出することができないため、妨害波レベルを誤検出するおそれがある。
【００５１】
一方、第２の妨害波レベル検出部１０６Ｂでは、入力ＩＦ信号の中心周波数が規定値からずれた場合にも、妨害波レベルをほぼ正確に検出できる。しかしながら、希望波の変調度が高い場合には、妨害波が存在してなくても、ある程度妨害波が存在しているかのように妨害波レベルを誤検出してしまうため、妨害波レベルが比較的低い場合、例えば、ＵＤ比が−３０ｄＢ以下のように妨害波レベルが比較的低い場合には、妨害波レベルを誤検出するおそれがある。
【００５２】
以上のようなことから、ＵＤ比が−３０ｄＢを越えている場合には第２の妨害波レベル検出部１０６Ｂの出力（第２の妨害波レベル検出信号Ｕ２）を用いてＵＤ比を判定し、ＵＤ比が−３０ｄＢ以下の場合は、第１の妨害波レベル検出部１０６Ａの出力（第１の妨害波レベル検出信号Ｕ１）を用いてＵＤ比を判定することによって、広いＵＤ比の範囲にわたってＵＤ比を判定することが可能である。
【００５３】
ＵＤ比が−３０ｄＢを越えているか否かの判定は、第１の妨害波レベル検出部１０６Ａの出力（第１の妨害波レベル検出信号Ｕ１）に基づいて行うことが好ましいが、上述したようにＵＤ比が０ｄＢを越えている場合には妨害波レベルを誤検出するおそれがある。そこで、まず、第２の妨害波レベル検出部１０６Ｂの出力（第２の妨害波レベル検出信号Ｕ２）に基づいて、ＵＤ比が０ＤＢを越えているか否かを判定し、妨害波レベルが０ＤＢ以下である場合に、第１の妨害波レベル検出部１０６Ａの出力（第１の妨害波レベル検出信号Ｕ１）に基づいてＵＤ比が−３０ｄＢを越えているか否かを判定することが好ましい。
【００５４】
図８は、ＵＤ比判定部７のＵＤ比判定処理手順を示している。
【００５５】
まず、第２の妨害波レベル検出部１０６Ｂによって検出された妨害波レベル（第２の妨害波レベル検出信号Ｕ２）が、０ｄＢのＵＤ比に対応する第１の閾値Ｔｈ１を越えているか否かを判定する（ステップ１）。
【００５６】
第２の妨害波レベル検出部１０６Ｂによって検出された妨害波レベルＵ２が第１の閾値Ｔｈ１を越えている場合には、ＵＤ比が０ｄＢを越えていると判定され、第２の妨害波レベル検出部１０６Ｂによって検出された妨害波レベルＵ２を、１．０〜０．２の範囲に正規化する（ステップ２）。このようにして得られた正規化された値が、ＵＤ比データとして、ＩＦフィルタ部３およびステレオ復調部５に送られる。
【００５７】
上記ステップ１において、第２の妨害波レベル検出部１０６Ｂによって検出された妨害波レベルＵ２が第１の閾値Ｔｈ１以下であると判別された場合には、ＵＤ比が０ｄＢ以下であると判定され、第１の妨害波レベル検出部１０６Ａによって検出された妨害波レベル（第１の妨害波レベル検出信号Ｕ１）が、−３０ｄＢのＵＤ比に対応する第２の閾値Ｔｈ２を越えているか否かを判定する（ステップ３）。
【００５８】
第１の妨害波レベル検出部１０６Ａによって検出された妨害波レベルＵ１が第２の閾値Ｔｈ２を越えている場合には、ＵＤ比が−３０ｄＢを越えていると判定され、ステップ２に移行して、第２の妨害波レベル検出部１０６Ｂによって検出された妨害波レベルＵ２を、１．０〜０．２の範囲に正規化する。このようにして得られた正規化された値が、ＵＤ比データとして、ＩＦフィルタ部３およびステレオ復調部５に送られる。
【００５９】
上記ステップ３において、第１の妨害波レベル検出部１０６Ａによって検出された妨害波レベルＵ１が第２の閾値Ｔｈ２以下である場合には、ＵＤ比が−３０ｄＢ以下であると判定され、ステップ４に移行して、第１の妨害波レベル検出部１０６Ａによって検出された妨害波レベルＵ１を、０．２〜０．０の範囲に正規化する（ステップ４）。このようにして得られた正規化された値が、ＵＤ比データとして、ＩＦフィルタ部３およびステレオ復調部５に送られる。
【００６０】
ＩＦフィルタ部３には、ＵＤ比判定部７からＵＤ比データが入力される。第２の実施の形態では、ＩＦフィルタ部３には、さらに、中心周波数検出部８によって検出された入力ＩＦ信号の中心周波数データが入力されるとともに、第２の妨害波レベル検出部１０６Ｂによって検出された妨害波レベルＵ２が入力される。
【００６１】
ＩＦフィルタ部３は、第２の妨害波レベル検出部１０６Ｂによって検出された妨害波レベルＵ２が所定の閾値Ｔｈ３以下の場合には、中心周波数検出部８によって検出された入力ＩＦ信号の中心周波数にＩＦフィルタの通過帯域の中心周波数が一致するように、ＩＦフィルタの通過帯域の中心周波数を制御（通過帯域の中心周波数制御）するとともに、ＵＤ比判定部７からのＵＤ比データに応じて、ＩＦフィルタの通過帯域幅を制御（通過帯域幅の制御）する。例えば、ＵＤ比データに基づいて、隣接妨害が存在する場合には、その妨害波を除去できるようにＩＦフィルタの帯域幅を狭める。このような処理を行う場合には隣接妨害が発生した場合にのみ隣接妨害を有効に除去することとなるとともに、隣接妨害がないときについては歪率について良好な検波出力を得ることが可能となる。
【００６２】
一方、第２の妨害波レベル検出部１０６Ｂによって検出された妨害波レベルＵ２が所定の閾値Ｔｈ３を越えた場合には、ＩＦフィルタ部３は、ＩＦフィルタの通過帯域幅の制御を行うが、通過帯域の中心周波数制御を行わない。
【００６３】
第２の妨害波レベルＵ２が所定の閾値Ｔｈ３以下の場合には通過帯域の中心周波数数制御を行うが、第２の妨害波レベルＵ２が所定の閾値Ｔｈ３を越えた場合には通過帯域の中心周波数制御を行わない理由について説明する。
【００６４】
妨害波レベルが大きい場合、例えば、ＵＤ比が０ｄＢを越えた場合には、中心周波数検出部８による検出結果は、妨害波の中心周波数側に遷移してしまう。そこで、入力ＩＦ信号の中心周波数のずれによる検出誤差の少ない、第２の妨害波レベル検出部１０６Ｂによって検出された第２の妨害波レベルＵ２に基づいて、妨害波レベルが、入力ＩＦ信号の中心周波数を中心周波数検出部８が正しく検出できる範囲にあるか否かを判別する。そして、妨害波レベルが、入力ＩＦ信号の中心周波数を中心周波数検出部８が正しく検出できる範囲にある場合にはＩＦフィルタの通過帯域の中心周波数制御を行い、妨害波レベルが、入力ＩＦ信号の中心周波数を中心周波数検出部８が正しく検出できない範囲にある場合にはＩＦフィルタの通過帯域の中心周波数制御を行わないようにしているのである。
【００６５】
このように、妨害波レベルＵ２が所定の閾値Ｔｈ３を越えた場合にはＩＦフィルタの通過帯域の中心周波数数制御を行わないようにしているので、中心周波数検出部８の誤検出によって、ＩＦフィルタの通過帯域の中心周波数が妨害波に近づくように移動してしまうといったことが防止される。
【００６６】
なお、上記実施の形態では、第２の妨害波レベル検出部１０６Ｂによって検出された妨害波レベルＵ２が所定の閾値Ｔｈ３を越えた場合には、ＩＦフィルタ部３は、ＩＦフィルタの通過帯域の中心周波数制御を行わないようにしているが、ＵＤ比判定部７からのＵＤ比データが所定の閾値を越えた場合に、ＩＦフィルタの通過帯域の中心周波数制御を行わないようにしてもよい。
【００６７】
【発明の効果】
この発明によれば、入力変調信号の中心周波数にずれが生じた場合にも、妨害波レベルを正確に検出でき、妨害波の影響を効果的に低減させることができるようになる。
【図面の簡単な説明】
【図１】第１の実施の形態におけるにおけるＦＭ放送受信機の構成を示すブロック図である。
【図２】ＦＭ検波部４の構成を示すブロック図である。
【図３】ＶＣＯ４３の出力波形の一例を示す模式図である。
【図４】妨害波レベル検出フィルタ部６の構成を示すブロック図である。
【図５】ステレオ復調部５の構成を説明する概略ブロック図である。
【図６】第２の実施の形態におけるにおけるＦＭ放送受信機の構成を示すブロック図である。
【図７】妨害波レベル検出フィルタ部１０６の構成を示すブロック図である。
【図８】ＵＤ比判定部７のＵＤ比判定処理手順を示すフローチャートである。
【符号の説明】
１  受信アンテナ
２  フロントエンド部
３  ＩＦフィルタ部
４  ＦＭ検波部
５  ステレオ復調部
６、１０６  妨害波レベル検出フィルタ部
７  ＵＤ比判定部
８  中心周波数検出部
【図１】
2004222192.tif 000003
【図２】
2004222192.tif 000004
【図３】
2004222192.tif 000005
【図４】
2004222192.tif 000006
【図５】
2004222192.tif 000007
【図６】
2004222192.tif 000008
【図７】
2004222192.tif 000009
【図８】
2004222192.tif 000010